(57)【特許請求の範囲】
【請求項１】
輸液バッグ、導管チューブ、クレンメ、点滴筒、注射針等で構成され、医療として点滴静脈注射を行う装置において、輸液バッグを収納する容器と、一端が固定端であり、他端が伸縮可能な自由端であり、自由端が密閉されたベローズを収納する加圧筒を有し、荷重印加手段によりベローズの自由端を加圧してベローズ内の空気圧を上昇させ、ベローズの固定部に設けた通気口は輸液バッグ圧迫手段に連通し、該圧迫手段により輸液バッグが収縮して内部の薬液を押し出すようにするとともに、一端がベローズの自由端と連動するワイヤの他端に結合したノブの位置でベローズから流出する空気量がわかるようにしたことを特徴とするポータブル点滴装置。
【請求項２】
荷重印加手段は加圧筒内に収納されて自由に上下できる錘であり、下端を固定したベローズの上面に錘を乗せ、錘は自重によりベローズを加圧してベローズ内の空気圧を上昇させることを特徴とする請求項１に記載のポータブル点滴装置。
【請求項３】
前記輸液バッグ圧迫手段は輸液バッグを収納する気密容器であり、前記通気口と気密容器内が連通しており、気密容器内の圧力上昇により輸液バッグを圧迫することを特徴とする請求項1に記載のポータブル点滴装置。
【請求項４】
前記気密容器の一部に、外部から気密容器内に空気が流入するのを許容するが、気密容器内から外部に空気が流出するのを遮断する逆止弁を設けていることを特徴とする請求項３に記載のポータブル点滴装置。
【請求項５】
前記輸液バッグ圧迫手段は輸液バッグを収納する容器内に輸液バッグと重ねて設置された柔軟で密封された伸縮性のある膨張バッグであり、前記通気口と膨張バッグが連通しており、膨張バッグの内部圧力上昇による膨張力により輸液バッグを圧迫することを特徴とする請求項１に記載のポータブル点滴装置。
【請求項６】
前記荷重印加手段は、渦巻ばねの復元力によりリールに回転力が生じるようにした巻上装置であり、リールの回転力がリールに巻き付けた紐に伝達し、紐の荷重が前記ベローズの自由端に作用してベローズを縮ませる荷重になることを特徴する請求項１に記載のポータブル点滴装置。
【発明の詳細な説明】
【技術分野】
【０００１】
本発明は、医療器具に係り、身体に付随して移動することも可能な点滴装置に関する。
【背景技術】
【０００２】
病院などで患者の医療に用いる一般的な点滴は、点滴スタンドを用い、点滴バッグを注入位置よりも高い位置にセットして、落差による揚程圧力により患者の静脈へ薬液を注入する方法で行っている。ベッドに寝ている場合はこの方法で何ら問題は無いが、点滴中に患者が歩いて移動する必要が生じた場合、点滴スタンドとともに移動しなければならない。このような場合に対処するために、点滴スタンドには設置部に4，5本の足がついており、各足には自在車輪がついていて、患者が点滴スタンドを手で押しながら移動できるようになっている。
【０００３】
しかし、このシステムは患者にとってベッドを離れての自由な移動を制限し、限られた範囲で移動するにしても邪魔になるものであった。それゆえに入院生活をますます憂鬱にさせる原因ともなっていた。この問題を解決しようとするために、ベッドから離れるときに点滴容器をハンガーに吊り下げた状態で移動する必要がなくなるポータブル点滴装置、及びそれを保持するためのジャケットを提供するものとして、特許第３２６０１１５号に示された装置がある。この装置は点滴容器を加圧バッグに入れ、空気ポンプで加圧バッグ内に空気を送り込んで加圧バッグ内の空気圧力を高め、点滴容器内の薬液を押し出すものである。この装置にはさらに、圧力を一定にするための圧力設定器が付属している。
【０００４】
前記問題を解決しようとする他のものとして、特開平１０−２９５８１０号に見られる装置がある。この装置はガスボンベに封入した圧縮ガスを加圧袋に導入し、加圧袋の膨張力で薬液袋を圧迫し、薬液を押し出すようにしたものである。
【０００５】
前記問題を解決しようとするさらに他のものとして特開昭６０−２２００７１号がある。この装置は移動可能な区分室に押しつぶし自在のバッグを入れて、渦巻バネの力により区分室を押し縮めてバッグを圧迫しバッグ内の薬液を押し出すようにしたものである。
【先行技術文献】
【特許文献】
【０００６】
【特許文献１】特許第３２６０１１５号
【特許文献２】特開平１０−２９５８１０号
【特許文献３】特開昭６０−２２００７１号
【発明の概要】
【発明が解決しようとする課題】
【０００７】
特許文献１に示された装置は、空気ポンプ、圧力設定器が設けられており、コストが高くなる。またこれらの付属部品を設けるために装置が重くなり、患者が移動する際に負担が大きくなる点に課題があった。さらに、圧力設定器の制御には複雑な回路や部品およびソフトを組み込む必要があり、これらに万一異常が生じた場合は、点滴容器にかかる圧力が高くなりすぎ、点滴流量が適正範囲を超え、患者を危険な状態に陥らせる事態が生じることもありうる点に課題があった。さらに、装置を携帯するには圧力設定器の制御のためにバッテリーを内蔵する必要があり、バッテリーはある程度の回数使用するごとに交換するか、充電しなければならないという煩雑さもあった。また、その交換や充電を怠ると、電力不足により点滴が途中で停止してしまうというおそれもあった。
【０００８】
特許文献２に示された装置は、ボンベに封入されたガスが高圧の場合、高精度の減圧装置が必要であり、万一減圧装置が故障して加圧袋に高圧ガスが導入された場合は流出する薬液量が一気に増加し、患者の体を危険にさらすことにもなりかねない点に課題があった。この問題を避けようとして、ボンベに封入されたガスが低圧の場合は、加圧袋にガスが導入されるにしたがってガスの圧力が低下していくので、次第に薬液の供給流量が低下し、安定した点滴を持続できない点に課題があった。さらに、ある程度の回数使用するごとにガスボンベを交換しなければならないという煩雑さもあった。また、ボンベの交換を怠ると、ガス欠により点滴が途中で停止してしまうというおそれもあった。
【０００９】
特許文献３に示された装置にはこれに適したバッグが必要であり、一般に使われている吊り下げて使う扁平な形状の重力滴下式の輸液バッグを使うことはできない。なぜなら、輸液バッグは区分室の形状とは異形であり、素直なつぶれ方をしないからである。すなわちバッグのつぶれ方が不規則になるため、送出する輸液の圧力が高くなったり低くなったりして患者の身体に危険を及ぼすおそれがある。また、現在この装置に向いた輸液バッグなどは存在しない。この装置は現在存在する輸液バッグを使用できるようには作られていない。
【課題を解決するための手段】
【００１０】
本発明は上記課題を解決するものとしてなされたものである。本発明では輸液バッグに圧力を加えて薬液を押し出すこと、そのために加圧容器内に輸液バッグを入れ、加圧手段として気体圧力を用いることは特許文献１及び２と同じ点もある。しかし、本発明では加圧容器に空気を送り込む手段として、上下に伸縮する密閉ベローズを用いる。ベローズを伸縮させる力は上面に乗せた錘あるいは渦巻バネが発生する荷重である。錘あるいは荷重はベローズを縮ませようとしてベローズ内の空気圧力を高める。この空気圧あるいは空気圧により膨張するバッグが輸液袋を圧迫し、中の薬剤を押し出す仕組みになっている。
【００１１】
空気圧を直接作用させる方法として、ベローズ内と輸液バッグを収納した密閉容器を連通させることにより、密閉容器内の圧力が高まり、内部の輸液バッグを押して薬液を押し出すことができる。また輸液バッグ圧迫手段として輸液バッグを収納する容器内に輸液バッグと隣り合わせで設置された柔軟で密封された伸縮性のある膨張バッグを用いることもできる。ベローズ内と膨張バッグが連通しており、膨張バッグの内部圧力上昇による膨張力により輸液バッグを圧迫することにより薬液を押し出す仕組みとなっている。
【００１２】
荷重を発生させる手段に渦巻バネを用いることは特許文献３と類似である。しかし、本発明では渦巻バネの荷重を伸縮する密閉ベローズに伝え、輸液バッグ圧迫手段として輸液バッグと隣り合わせで設置された柔軟で密封された伸縮性のある膨張バッグを用い、ベローズ内と膨張バッグが連通しており、膨張バッグの内部圧力上昇による膨張力により輸液バッグを圧迫して薬液を押し出す仕組みとなっている。
【発明の効果】
【００１３】
本発明によれば、空気ポンプと圧力設定器、あるいはガスボンベと減圧装置などを用いないのでコストを安くすることができる。発生させる空気圧力は低いので、錘を荷重印加手段として使う方式でも軽量の錘で済み、渦巻バネを内蔵した巻上装置のリールに巻かれた紐を荷重印加手段として使う方式ではさらに軽量化することができる。圧力設定器や減圧装置も用いる必要がないので装置全体の質量を軽くできる。ベローズ内に発生する圧力は錘の重さに応じた圧力または渦巻バネによるリールの回転力に応じた圧力であり、それ以上に高くなることはない。したがって、異常圧力を生じて点滴流量を増加させ、患者を危険にさらすようなことはなくなる。バッテリーやガスボンベのような、交換や充電が必要な部品がないので、煩雑さがなくなる。また、電力不足やガス欠により点滴が途中で停止するといったトラブルもなくなる。また、装置の部品が少ないからコンパクトで軽量になり、患者が身につけて移動することが容易になり、負担も軽くなる。また、通常は重力滴下式として使う一般の輸液バッグを使うように作られているので、装置に合わせて特殊な形状のバッグを作る必要も無い。
【図面の簡単な説明】
【００１４】
【図１】本発明の実施例１の上面図である。
【図２】図１の一点鎖線で切った断面を示す正面図である。
【図３】本発明の実施例２の上面図である。
【図４】図３の一点鎖線で切った断面を示す正面図である。
【図５】本発明の実施例３の加圧筒の側面断面図である。
【図６】実施例３の加圧筒の正面図である
【図７】本発明の実施例４の断面図である。
【図８】実施例４の上面図である。
【図９】実施例４の加圧筒の正面図である。
【図１０】本発明の実施例５の断面図である。
【発明を実施するための形態】
【００１５】
本発明の実施形態を図１乃至図１０を使用して説明する。
【実施例】
【００１６】
図１および図２は本発明の実施例１を示す。図１は装置を上から見た図で、加圧筒１と気密容器２が連結板２１により一体化されている。気密容器２には点滴筒３が取り付けられている。加圧筒１の上面中央からは内部の錘１０に繋がるワイヤ４が出ており、引きノブ５に繋がっている。気密容器２の前面には、開閉可能で閉じたときには気密性を保持する気密扉２Ａが設けられている。気密扉２Ａは気密容器２に輸液バッグ１１を出し入れするときに開閉するために設けられている。一体化された装置本体上部には、身体に付属して移動が可能なように、肩紐２０が取り付けられている。
【００１７】
図２は装置を図１の一点鎖線で切った断面を正面から見た図である。加圧筒１の内部には底板７に取り付けられ、自由端が密閉されたベローズ６が設けられている。ベローズ６は柔らかい材料で作られており、それ自体はほとんどばね性を有しないものが望ましい。固定端である底板７には通気口８が空いており、さらに連通管９を介して気密容器２に連通している。ベローズ６の自由端である上面には錘１０が乗っている。錘１０は加圧筒１の内径よりやや小さい径の円盤型であり、加圧筒１内を自由に上下できるようにしてある。
【００１８】
気密容器２内には輸液バッグ１１が吊り下げられている。輸液バッグ１１の下部には導管チューブＡ１２の一端を接続し、他端は点滴筒３の上部に接続されている。導管チューブＡ１２は途中で気密容器２を貫通しており、貫通部にはシールブシュ１３を取り付けてある。シールブシュ１３は気密容器２と導管チューブＡ１２の両方に密に接しており、気密容器２の気密状態を保持し、内部の圧力が外部へ漏れないようにしてある。
【００１９】
点滴筒３の下部には導管を介して液切れ閉塞器１４を取り付けてある。液切れ閉塞器１４の中にはフロート弁１５を封入してあり、フロート弁１５が浮いているときは流路が開通し、フロート弁１５が下部に着座しているときには流路が閉塞するようにしてある。さらに導管を介してクレンメ１６を取り付けてある。クレンメ１６には流量調整ノブ１７が付いている。クレンメ１６の下部には導管チューブＢ１８が接続されており、その先は図示しない点滴用の注射針に接続されている。気密容器２の底板には逆止弁１９が取り付けられている。
【００２０】
本実施例の動作について説明する。まず気密扉２Ａを開いて気密容器２内に輸液バッグ１１をセットし、輸液バッグ１１に導管チューブＡ１２の一端を接続し、気密扉２Ａを閉じる。導管チューブＡ１２の他端はシールブシュ１３を貫通して既に点滴筒３に接続されている。クレンメ１６の流量調整ノブ１７は薬液の流れを閉止する状態にセットしてある。この状態で引きノブ５を持ってワイヤ４を上に引き上げる。そうするとワイヤ４に繋がった錘１０が上に引き上げられる。錘１０とベローズ６上面を接着しておくか、荷重がなくなるとベローズ６が弾性で伸びるようにしておく。ベローズ６が伸びるので内部の体積が大きくなって圧力が下がる。それで、ベローズ６は通気口８から空気を吸い込み、気密容器２内の圧力も下がる。そうすると逆止弁１９が開いて外部から気密容器２へ空気が吸い込まれる。したがってベローズ６内も気密容器２内もほぼ大気圧に保たれる。錘１０をベローズ６内の体積が輸液バッグ１１内の薬液体積量より大きくなるところまで引き上げたら引きノブ５を離す。
【００２１】
錘１０は自重によりベローズ６を下に押し下げようとする。ベローズ６内の圧力はその力に見合った値だけ高くなる。その結果、通気口８と連通管９で連通している気密容器２内の圧力も高くなる。逆止弁１９は内側から外側への空気の漏れを閉止するようになっているから気密容器２内の圧力は保たれる。この圧力により輸液バッグ１１は収縮力を与えられるから内部の薬液が外へ押し出される力を受ける。この状態において、図では省略しているが、実際の点滴装置では流路内の空気を抜く装置などもついており、導管チューブＢ１８内などの空気を抜いた後、患者の腕に止血バンドをして導管チューブＢ１８の先についている注射針（図示せず）を患者の静脈に差し込み、止血バンドを外すといった一連の医療行為を行う。その後クレンメ１６の流量調整ノブ１７を徐々に回して流路を開き、点滴筒３内に適正間隔で薬液が滴下するように流量調整を行う。
【００２２】
錘１０の質量は、ベローズ６内の圧力が、通常の重力による点滴における輸液バッグ１１の液面と点滴部位の落差の水柱揚程に相当する圧力になるように設定されている。ベローズ６の弾力性は錘１０の質量に比べて無視できる程度に小さく作られており、ベローズ６内および気密容器２の圧力はほぼ一定に保たれる。したがって、通常の重力による点滴と同じように安定した流量で点滴を持続できる。
【００２３】
輸液バッグ１１内が完全に液で満たされていて空気が入っていない場合は、輸液バッグ１１がしぼみ切ると点滴は終了する。しかし、輸液バッグ１１に空気が混入している場合は、しぼみきるまで点滴を継続すると空気が患者の体内へ押し込まれてしまい、患者に空気塞栓という危険な事態も生じさせるおそれがある。これを防止するために点滴筒３とクレンメ１６の間に液切れ閉塞器１４を設けている。液切れ閉塞器１４の中にはフロート弁１５が封入してある。フロート弁１５の比重量は薬液の比重量より小さく作られており、容器内が液で満たされているときにはフロート弁１５が浮上して流路が開通し、液が無くなるとフロート弁１５は自重により底部に着座して流路がふさがるようになっている。この仕組みにより、輸液バッグ１１に空気が混入しても液切れ閉塞器１４内に液が無くなった時点で液の流れが止まるので点滴は終了し、患者を危険にさらすようなことはない。
【００２４】
加圧筒１と気密容器２は連結板２１で一体化されており、点滴筒３もこれと一体化されているので液切れ閉塞器１４やクレンメ１６なども本体に付属した状態になっている。したがって本装置を患者の身につけておけば、従来のように点滴スタンドを押しながら移動するという不自由さを強いられることなく、どこへでも行けるし、階段の上り下りもできる。そのために実施例では、装置を肩から掛けて移動できるように、上部に肩紐２０を取り付けてある。ただし、身に着ける方法は肩紐に限ったことではなく、ベルト式にして腰につけるようにしても、リュックサック式にして背負ったり、前掛けにしたりしても良い。
【００２５】
図３および図４は本発明の実施例２を示す。実施例１と同じ部品には同じ符号を付し、説明を省略する。本実施例では実施例１の気密容器２の代わりに、上面が開放した収納容器２２を用いる。図３は装置を上から見た図で、収納容器２２の中には膨張バッグ２３が備え付けられており、これと並べて輸液バッグ１１が収納されている。輸液バッグ１１下部の薬液取り出し口と点滴筒３は導管チューブＡ１２で接続される。
【００２６】
図４は装置を図３の一点鎖線で切った断面を側面から見た図である。収納容器２２の中に膨張バッグ２３と輸液バッグ１１が並列にセットされている。膨張バッグ２３は柔軟な材料で作られ、密閉された袋状のものであり、内部に圧力が導入されると図の横方向に膨らむように作られている。膨張バッグ２３は連通管９により加圧筒１の下部に接続されている。加圧筒１の下部は通気口８でベローズ６内に連通しており、したがって、ベローズ６内と膨張バッグ２３内は連通している。本実施例では点滴筒３を加圧筒１に取り付けてある。
【００２７】
本実施例の動作について説明する。輸液バッグ１１に導管チューブＡ１２の一端を接続する。導管チューブＡ１２の他端は既に点滴筒３に接続されている。クレンメ１６の流量調整ノブ１７は薬液の流れを閉止する状態にセットしてある。引きノブ５を上に引いてワイヤ４で繋がっている錘１０を上まで引き上げる。錘１０と上面が接着しているか、自力で伸びるベローズ６が伸びて中の体積が増大する。そうするとベローズ６が空気を吸い込んだ分だけ膨張バッグ２３が空気を放出するので膨張バッグ２３はしぼんで、収納容器２２の壁との間にスペースができる。そのスペースに輸液バッグ１１を挿入する。そして引きノブ５を離す。
【００２８】
錘１０は自重によりベローズ６を下に押し下げようとする。ベローズ６内の圧力はその力に見合った値だけ高くなる。その結果、通気口８と連通管９で連通している膨張バッグ２３内の圧力も高くなる。この圧力により膨張バッグ２３は膨張して輸液バッグ１１は圧迫されるからから内部の薬液が外へ押し出される力を受ける。これ以降の手順、動作は実施例１と同様である。
【００２９】
図５および図６は本発明の実施例３を示す。本実施例は加圧筒１に関するものであり、それ以外の部分は実施例１または実施例２と同様であり、図示および説明を省略する。図５は加圧筒１の側面断面図を示す。加圧筒１にはスライドガイド２４およびスライドノブ２５が設けられておりスライドノブ２５はスライドガイド２４に沿って上下に移動できる。スライドノブ２５と錘１０はプーリ２６を経由してワイヤ４で繋がっており、スライドノブ２５を下に引き下げれば錘１０が引き上げられる。錘１０を引き上げる機構以外は実施例１または２と同様であり、手順、動作も実施例１または２と同様である。
【００３０】
図６は加圧筒１の正面図を示す。スライドガイド２４には目盛り板２７を設けてあり、スライドノブ２５の突起部などの目印で目盛りの位置が読み取れるようになっている。目盛りはベローズ６から流出する空気量に一致するように打ってある。最初にスライドノブ２５を目盛り０まで引き下げておけば、錘１０が下がるにつれベローズ６から押し出された空気量を読むことができ、この空気量は輸液バッグ１１から押し出された薬液量に一致する。この構造により薬液の注入量や残量がわかる。
【００３１】
図７乃至図９は本発明の実施例４を示す。図７は実施例４の断面図である。本実施例は加圧筒１内のベローズ６に荷重を印加する手段が実施例１及び２と異なっている。ベローズ６の固定端である上端が加圧筒１の天板に密閉状態で固定されている。ベローズ６の自由端である下端には底板２８が密閉状態で取り付けられている。底板２８は拘束されていないのでベローズ６の下端は底板２８と共に上下に移動可能である。底板２８の両端にはプーリ２９が取り付けてあり、プーリ２９には一端を加圧筒１の天板に固定された紐３０が掛かっている。加圧筒１の上面には巻上装置３５が設置されている。巻上装置３５のケース３６の内部には軸芯３７に中心を支持されて回転するリール３８が取り付けてある。中心側をリール３８に固定され、外周側をケース３６に固定される渦巻きばね３９が設けられている。紐３０はリール３８に必要な長さ分巻き付けられている。渦巻ばね３９はリール３８に回転力を与えるように変形させて取り付けてある。
【００３２】
底板２８の中央部にはワイヤ４が接合されており、ワイヤ４はプーリ２６を経由してスライドノブ２５に接合されている。スライドノブ２５はスライドガイド２４に沿って上下に移動できる。スライドノブ２５を上に引き上げると底板２８は下に引き下げられ、紐３０は巻上装置３５から繰り出され、リール３８が回転して渦巻ばね３９はさらに変形し、ベローズ６は伸張する。
【００３３】
加圧筒１と一体化されて上面が開放した収納容器２２が設けられている。図８は装置を上から見た図で、収納容器２２の中には膨張バッグ２３が備え付けられており、これと重ねて輸液バッグ１１が収納されている。加圧筒１の上部には通気口３２が設けられており、膨張バッグ２３と連通管３４を介して連通している。輸液バッグ１１下部の薬液取り出し口と点滴筒３は導管チューブＡ１２で接続される。
【００３４】
図９は加圧筒１の正面図を示す。スライドガイド２４に沿って目盛り板２７を設けてあり、スライドノブ２５の突起部などの目印で目盛りの位置が読み取れるようになっている。目盛りはベローズ６から流出する空気量に一致するように打ってある。
【００３５】
本実施例の動作について説明する。最初にスライドノブ２５を上まで引き上げたときにラッチ（図示せず）が掛かるようにしてあり、膨張バッグ２３は収縮したままの状態になるので、この状態で輸液バッグ１１を膨張バッグ２３と収納容器２の隙間にセットする。その後ラッチを解除すると巻上装置３５の引っ張り荷重により紐３０が底板２８を引き上げ、ベローズ６を収縮させようとするので内部の圧力が上昇する。その圧力で膨張バッグ２３は膨張し、輸液バッグ１１に密着して圧迫し、薬液の吐出が開始される。これ以降の手順、動作は実施例１と同様である。
【００３６】
点滴が進むにしたがってベローズ６は縮んでいくので紐３０は巻上装置３５に巻き取られていく。目盛板２７はスライドできるようにしてあり、薬液注入開始時に目盛り０をスライドノブ２５の目印に合わせておけば、スライドノブ２５が移動したときの目盛りがベローズ６から押し出された空気量を表す。この空気量は輸液バッグ１１から押し出される薬液量に一致しているので薬液の注入量や残量がわかる。
【００３７】
図１０は本発明の実施例５を示す。本実施例では２本の紐３０の下端は底板２８の両端に結合し、上端は加圧筒１の外でともに巻上装置３５のリール３８に巻き付けられている。プーリ３１は紐３０が加圧筒１と直接擦れ合って摩擦や摩耗を生じさせないために設けてある。本実施例では２本の紐３０が巻上装置３５に均等に巻き上げられにしたがって底板２８が上昇していく。
【００３８】
気密容器２が加圧筒１と一体化されて設置されている。加圧筒１の上部には通気口３２が設けられ、気密容器２の上部には通気口３３が設けられており、これらは連通管３４を介して連通している。気密容器２内には輸液バッグ１１が吊り下げられている。輸液バッグ１１下部の薬液取り出し口と点滴筒３は導管チューブＡ１２で接続される。導管チューブＡ１２が気密容器２を貫通する部分はシールブシュ１３で気密が保たれている。気密容器２の底板には中から外へは空気を漏らさないが外から中へは空気が流入できるような逆止弁１９が設けられている。
【００３９】
本実施例の動作は、加圧筒１については実施例４と同様であり、気密容器２については実施例１と同様である。薬液の吐出が開始されてからの手順、動作は実施例１と同様である。
【００４０】
実施例４又は５によればベローズ６に力を加える手段として錘よりも軽い巻上装置３５を使用しているので、その分装置の質量を軽くできる。したがって患者が身につけて移動するときの負担が一層軽くなる。
【符号の説明】
【００４１】
１  加圧筒
２  気密容器
３  点滴筒
５  引きノブ
６  ベローズ
１０  錘
１１  輸液バッグ
１４  液切れ閉塞器
１５  フロート弁
１６  クレンメ
１７  流量調整ノブ
１９  逆止弁
２３  膨張バッグ
２４  スライドガイド
２５  スライドノブ
２７  目盛り板
３５  巻上装置
３８  リール
３９  渦巻ばね
【図１】
0006661167.tif 000002
【図２】
0006661167.tif 000003
【図３】
0006661167.tif 000004
【図４】
0006661167.tif 000005
【図５】
0006661167.tif 000006
【図６】
0006661167.tif 000007
【図７】
0006661167.tif 000008
【図８】
0006661167.tif 000009
【図９】
0006661167.tif 000010
【図１０】
0006661167.tif 000011